【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
ユーザ認証に用いられる登録ユーザ名、及び登録ユーザ名の中で認証を受けたことのあるユーザ名を記憶する記憶手段と、
ユーザの入力操作に関連するユーザ名を、前記記憶手段に記憶されているユーザ名の中から検索する検索手段と、
前記検索されたユーザ名を候補として一覧表示する表示手段と、
を備え、
前記検索手段は、ユーザ名の検索を前記登録ユーザ名の中から行うか、認証を受けたことのあるユーザ名の中から行うかを、状況に応じて切り替えることを特徴とする画像処理装置。
【請求項２】
前記検索手段は、ネットワークを通じた外部端末からの入力操作時には、認証を受けたことのあるユーザ名の中から検索を行い、画像処理装置本体からの入力操作時には、登録ユーザ名の中から検索を行う請求項１に記載の画像処理装置。
【請求項３】
前記検索手段は、外部認証装置でユーザ認証を行わせる場合には、認証を受けたことのあるユーザ名の中から検索を行わせ、画像処理装置本体でユーザ認証を行う場合には、登録ユーザ名の中から検索を行う請求項１に記載の画像処理装置。
【請求項４】
前記検索手段は、画像処理装置本体の操作許可については、登録ユーザ名の中から検索を行い、画像処理装置本体の所定機能の使用については、認証を受けたことのあるユーザ名の中から検索を行う請求項１に記載の画像処理装置。
【請求項５】
一度使用したことのあるユーザであることを示す指定キーを備え、
前記検索手段は、前記指定キーが押された場合には、認証を受けたことのあるユーザ名の中から検索を行い、前記指定キーが押されない場合には、登録ユーザ名の中から検索を行う請求項１に記載の画像処理装置。
【請求項６】
登録宛先名、及び登録宛先名の中で使用されたことのある宛先名を記憶する記憶手段と、
ユーザの宛先入力操作に関連する宛先名を、前記記憶手段に記憶されている宛先名の中から検索する検索手段と、
前記検索された宛先名を宛先候補として一覧表示する表示手段と、
を備え、
前記検索手段は、宛先名の検索を前記登録宛先名の中から行うか、使用されたことのある宛先名の中から行うかを、状況に応じて切り替えることを特徴とす画像処理装置。
【請求項７】
前記検索手段は、宛先入力操作の時間帯と同じ過去の時間帯に、そのユーザによる使用履歴がある場合には、使用されたことのある宛先名の中から検索を行い、使用履歴がない場合には、登録宛先名の中から検索を行う請求項６に記載の画像処理装置。
【請求項８】
前記検索手段は、過去に外部サーバを使用して宛先を検索したことのあるユーザの場合には、使用されたことのある宛先名の中から検索を行わせ、初めて使用する場合には、登録宛先名の中から検索を行わせる請求項６に記載の画像処理装置。
【請求項９】
一度使用したことのある宛先名であることを示す指定キーを備え、
前記検索手段は、前記指定キーが押された場合には、使用されたことのある宛先名の中から検索を行い、前記指定キーが押されない場合には、登録宛先名の中から検索を行う請求項６に記載の画像処理装置。
【請求項１０】
前記検索手段は、外部サーバを利用して宛先を検索する場合には、使用されたことのある宛先名の中から検索を行わせ、画像処理装置本体を利用して宛先を検索する場合には、登録宛先名の中から検索を行う請求項６に記載の画像処理装置。
【請求項１１】
ユーザの入力操作に関連するユーザ名を、記憶手段に記憶されているユーザ認証に用いられる登録ユーザ名、または登録ユーザ名の中で認証を受けたことのあるユーザ名の中から検索するステップと、
前記検索されたユーザ名を候補として一覧表示するステップと、
前記検索ステップにおけるユーザ名の検索を、前記登録ユーザ名の中から行うか、認証を受けたことのあるユーザ名の中から行うかを、状況に応じて切り替えるステップと、
を含むことを特徴とする検索表示方法。
【請求項１２】
ユーザの宛先入力操作に関連する宛先名を、記憶手段に記憶されている登録宛先名、または登録宛先名の中で使用されたことのある宛先名の中から検索するステップと、
前記検索された宛先名を宛先候補として一覧表示するステップと、
前記検索ステップにおける宛先名の検索を、前記登録宛先名の中から行うか、使用されたことのある宛先名の中から行うかを、状況に応じて切り替えるステップと、
を含むことを特徴とする検索表示方法。
【請求項１３】
ユーザの入力操作に関連するユーザ名を、記憶手段に記憶されているユーザ認証に用いられる登録ユーザ名、または登録ユーザ名の中で認証を受けたことのあるユーザ名の中から検索するステップと、
前記検索されたユーザ名を候補として一覧表示するステップと、
前記検索ステップにおけるユーザ名の検索を、前記登録ユーザ名の中から行うか、認証を受けたことのあるユーザ名の中から行うかを、状況に応じて切り替えるステップと、
を画像処理装置のコンピュータに実行させるための検索表示プログラム。
【請求項１４】
ユーザの宛先入力操作に関連する宛先名を、記憶手段に記憶されている登録宛先名、または登録宛先名の中で使用されたことのある宛先名の中から検索するステップと、
前記検索された宛先名を宛先候補として一覧表示するステップと、
前記検索ステップにおける宛先名の検索を、前記登録宛先名の中から行うか、使用されたことのある宛先名の中から行うかを、状況に応じて切り替えるステップと、
を画像処理装置のコンピュータに実行させるための検索表示プログラム。
【手続補正２】
【補正対象書類名】明細書
【補正対象項目名】発明の名称
【補正方法】変更
【補正の内容】
【発明の名称】画像処理装置、検索表示方法及び検索表示プログラム
【手続補正３】
【補正対象書類名】明細書
【補正対象項目名】０００８
【補正方法】変更
【補正の内容】
【０００８】
この発明は、ユーザ認証時やデータ送信時等においてユーザ名や宛先名の選択が簡単になるとともに、セキュリティの確保も可能となる画像処理装置、検索表示方法及び検索表示プログラムを提供することを課題とする。
【手続補正４】
【補正対象書類名】明細書
【補正対象項目名】０００９
【補正方法】変更
【補正の内容】
【０００９】
上記課題は、以下の手段によって解決される。
（１）ユーザ認証に用いられる登録ユーザ名、及び登録ユーザ名の中で認証を受けたことのあるユーザ名を記憶する記憶手段と、ユーザの入力操作に関連するユーザ名を、前記記憶手段に記憶されているユーザ名の中から検索する検索手段と、前記検索されたユーザ名を候補として一覧表示する表示手段と、を備え、前記検索手段は、ユーザ名の検索を前記登録ユーザ名の中から行うか、認証を受けたことのあるユーザ名の中から行うかを、状況に応じて切り替えることを特徴とする画像処理装置。
（２）前記検索手段は、ネットワークを通じた外部端末からの入力操作時には、認証を受けたことのあるユーザ名の中から検索を行い、画像処理装置本体からの入力操作時には、登録ユーザ名の中から検索を行う前項１に記載の画像処理装置。
（３）前記検索手段は、外部認証装置でユーザ認証を行わせる場合には、認証を受けたことのあるユーザ名の中から検索を行わせ、画像処理装置本体でユーザ認証を行う場合には、登録ユーザ名の中から検索を行う前項１に記載の画像処理装置。
（４）前記検索手段は、画像処理装置本体の操作許可については、登録ユーザ名の中から検索を行い、画像処理装置本体の所定機能の使用については、認証を受けたことのあるユーザ名の中から検索を行う前項１に記載の画像処理装置。
（５）一度使用したことのあるユーザであることを示す指定キーを備え、前記検索手段は、前記指定キーが押された場合には、認証を受けたことのあるユーザ名の中から検索を行い、前記指定キーが押されない場合には、登録ユーザ名の中から検索を行う前項１に記載の画像処理装置。
（６）登録宛先名、及び登録宛先名の中で使用されたことのある宛先名を記憶する記憶手段と、ユーザの宛先入力操作に関連する宛先名を、前記記憶手段に記憶されている宛先名の中から検索する検索手段と、前記検索された宛先名を宛先候補として一覧表示する表示手段と、を備え、前記検索手段は、宛先名の検索を前記登録宛先名の中から行うか、使用されたことのある宛先名の中から行うかを、状況に応じて切り替えることを特徴とす画像処理装置。
（７）前記検索手段は、宛先入力操作の時間帯と同じ過去の時間帯に、そのユーザによる使用履歴がある場合には、使用されたことのある宛先名の中から検索を行い、使用履歴がない場合には、登録宛先名の中から検索を行う前項６に記載の画像処理装置。
（８）前記検索手段は、過去に外部サーバを使用して宛先を検索したことのあるユーザの場合には、使用されたことのある宛先名の中から検索を行わせ、初めて使用する場合には、登録宛先名の中から検索を行わせる前項６に記載の画像処理装置。
（９）一度使用したことのある宛先名であることを示す指定キーを備え、前記検索手段は、前記指定キーが押された場合には、使用されたことのある宛先名の中から検索を行い、前記指定キーが押されない場合には、登録宛先名の中から検索を行う前項６に記載の画像処理装置。
（１０）前記検索手段は、外部サーバを利用して宛先を検索する場合には、使用されたことのある宛先名の中から検索を行わせ、画像処理装置本体を利用して宛先を検索する場合には、登録宛先名の中から検索を行う前項６に記載の画像処理装置。
（１１）ユーザの入力操作に関連するユーザ名を、記憶手段に記憶されているユーザ認証に用いられる登録ユーザ名、または登録ユーザ名の中で認証を受けたことのあるユーザ名の中から検索するステップと、前記検索されたユーザ名を候補として一覧表示するステップと、前記検索ステップにおけるユーザ名の検索を、前記登録ユーザ名の中から行うか、認証を受けたことのあるユーザ名の中から行うかを、状況に応じて切り替えるステップと、を含むことを特徴とする検索表示方法。
（１２）ユーザの宛先入力操作に関連する宛先名を、記憶手段に記憶されている登録宛先名、または登録宛先名の中で使用されたことのある宛先名の中から検索するステップと、前記検索された宛先名を宛先候補として一覧表示するステップと、前記検索ステップにおける宛先名の検索を、前記登録宛先名の中から行うか、使用されたことのある宛先名の中から行うかを、状況に応じて切り替えるステップと、を含むことを特徴とする検索表示方法。
（１３）ユーザの入力操作に関連するユーザ名を、記憶手段に記憶されているユーザ認証に用いられる登録ユーザ名、または登録ユーザ名の中で認証を受けたことのあるユーザ名の中から検索するステップと、前記検索されたユーザ名を候補として一覧表示するステップと、前記検索ステップにおけるユーザ名の検索を、前記登録ユーザ名の中から行うか、認証を受けたことのあるユーザ名の中から行うかを、状況に応じて切り替えるステップと、を画像処理装置のコンピュータに実行させるための検索表示プログラム。
（１４）ユーザの宛先入力操作に関連する宛先名を、記憶手段に記憶されている登録宛先名、または登録宛先名の中で使用されたことのある宛先名の中から検索するステップと、前記検索された宛先名を宛先候補として一覧表示するステップと、前記検索ステップにおける宛先名の検索を、前記登録宛先名の中から行うか、使用されたことのある宛先名の中から行うかを、状況に応じて切り替えるステップと、を画像処理装置のコンピュータに実行させるための検索表示プログラム。